(57)【特許請求の範囲】
【請求項１】
弁箱内の流路を開閉又は制御する駆動弁体をゼンマイとし、このゼンマイの一端を弁箱の弁室内に取付け、他端を弁室内の弁軸に取付け、ゼンマイの側面を弁箱の弁座に対向させて押圧配置すると共に、アクチュエータ又は手動の出力により弁軸を回転させて、ゼンマイを弁軸側に求心変位させることにより、ゼンマイ側面を弁座から離間させて流路口を開くように構成し、一方、蓄勢されたゼンマイ自体の巻戻り力でゼンマイ側面を二次側弁座に圧着して流路口を閉止するようにしたことを特徴とするリーフスプリング弁。
【請求項２】
上記ゼンマイの弁室内取付位置を、一次側の流路口近傍とした請求項１記載のリーフスプリング弁。
【請求項３】
ゼンマイの二次側弁座シール位置に、ゴム等の弾性部材で形成したシール部材を一体に設けた請求項１又は２に記載のリーフスプリング弁。
【請求項４】
請求項１に記載したゼンマイを、アクチュエータ又は手動により回転させた弁軸で弁軸側に適宜に求心変位させることによってゼンマイ自体が定流量機能を有するようにしたことを特徴とするリーフスプリング弁。
【請求項５】
弁軸の回転数により任意の定流量を設定するようにした請求項４記載のリーフスプリング弁。
【請求項６】
請求項１乃至５記載のリーフスプリング弁を配管の流体を開閉又は制御或は定流量機能を有するようにした空気調和装置に用いるようにしたことを特徴とするリーフスプリング弁。
【請求項７】
蓄勢されたゼンマイ自体の蓄勢力は、ゼンマイ自身の駆動制御力と略等しいことを特徴とする請求項１乃至６記載のリーフスプリング弁。
【発明の詳細な説明】
【０００１】
（技術分野）
本発明は、流路を開閉又は調整し、並びに定流量弁機能を有する弁として、弁体をスプリングとしたリーフスプリング弁に関し、詳しくは、弁体自身が蓄勢力を有する駆動弁体を内蔵し、この蓄勢力で弁体を駆動制御させ、更には弁体自体で定流量弁機能を有し、並びにこのリーフスプリング弁を用いた空気調和装置に関する。
【０００２】
（背景技術）
通常、流路を開閉するための代表的な弁には、ボデー内に設けた貫通孔を有するボール弁体を回動操作して流路を開閉するボールバルブがあり、また、くさび形状をした弁体をボデー内で上下動操作して、流路を開閉するゲートバルブなどのバルブが知られている。
【０００３】
また、自動弁の一例として、電動弁が存在しているが、この電動弁は、ボールバルブ等の回転弁を電動モータで開閉又は流路調整する弁構造であり、このうちモータで開動作すると共に、このモータの開動作と連動して巻き締めたゼンマイばねの巻き戻し力を利用して閉動作するスプリングリターン式の電動バルブも実施されている。
【０００４】
更に、その他の特殊な弁構造として、筒状バルブの開口を形状記憶合金で形成したつる巻き状の弁体で開閉する構造のリリーフ弁も提案されている（特開平１０−３０４２０号公報参照）。
【０００５】
一方、定流量弁は、設定流量に制御するバルブであり、通常、設定流量に応じて選択した定流量カートリッジをボデー内に装着するようにしている。
【０００６】
しかしながら、これまでに提案され、かつ実施されている各種の弁構造は、次に述べるような課題を有している。
【０００７】
まず、一般弁であるボールバルブは、ボール弁体を環状のボールシートに適量な圧縮力を加えながら摺動させつつ回動操作する構造であるため、回動操作力が一般的に大きくなり、また、強度を保つために部品形状も大きくなる傾向にあり、しかも、弁体とボールシートとは摺動しながら開閉するので、ボールシートの摩耗が生じ易く、弁体が中間開度にあるときボールシートが流体圧の作用で流路内へ飛び出すおそれがあるため、ボールシートは、所定の使用期間中にメンテナンスやボールシートの交換を要し、耐久性の点に課題を有している。
【０００８】
また、スプリングリターン式の電動ボールバルブは、ボール弁体で摺動開閉し、しかも、弁体とは別個に弁のリターン動作のための力をチャージするスプリングを必要とするため、回動操作トルクが大きく、それだけ、製品が大型化し、コストアップの要因にもなっていた（図２２におけるグラフに示した符号Ｃ、Ｄ、Ｅ参照）。
【０００９】
更に、上記の特開平１０−３０４２０号公報におけるリリーフ弁は、形状記憶合金材で形成されているので、所定の高温以上の流体が供給されたときのみ開閉する構造の弁であるため、特殊な流体の場合に適用され、しかも、形状記憶合金材は、歩留りが悪く、高価な材料であって、コストアップとなるばかりでなく、開閉操作の確実性が低く、実用的価値の低いものであった。
【００１０】
また、一般の定流量弁は、設定した流量のみに対応でき、設定流量を変える場合は、内蔵した定流量カートリッジを対応するカートリッジに交換して使用しているため、面倒な作業を必要としていた。
【００１１】
本発明は、従来の各種の弁形状における課題に鑑みて開発したものであり、その目的とするところは、弁体自体が蓄勢力を有することによって小さい操作トルクで開閉操作できるようにすると共に、確実にかつ安定した開閉を可能とし、しかも、コストの削減を図り、かつコンパクトに製作でき、耐久性にも優れた実用的価値の高い弁を提供し、更に、止水機能を有する弁体自体に定流量機能を持たせて多機能化を図り、弁軸の回転数によって各種の定流量設定機能を有するようにしたことにある。
【００１２】
（発明の開示）
上記の目的を達成するため、請求項１に係る発明は、弁箱内の流路を開閉又は制御する駆動弁体をゼンマイとし、このゼンマイの一端を弁箱の弁室内に取付け、他端を弁室内の弁軸に取付け、ゼンマイの側面を弁箱の弁座に対向させて押圧配置すると共に、アクチュエータ又は手動の出力により弁軸を回転させて、ゼンマイを弁軸側に求心変位させることにより、ゼンマイ側面を弁座から離間させて流路口を開くように構成し、一方、蓄勢されたゼンマイ自体の巻戻り力でゼンマイ側面を二次側弁座に圧着して流路口を閉止するようにしたリーフスプリング弁である。
【００１３】
請求項２に係る発明は、上記ゼンマイの弁室内取付位置を、一次側の流路口近傍としたリーフスプリング弁である。
【００１４】
請求項３に係る発明は、ゼンマイの二次側弁座シール位置に、ゴム等の弾性部材で形成したシール部材を一体に設けたリーフスプリング弁である。
【００１５】
請求項４に係る発明は、ゼンマイを、アクチュエータ又は手動により回転させた弁軸で弁軸側に適宜に求心変位させることによってゼンマイ自体が定流量機能を有するようにしたリーフスプリング弁である。
【００１６】
請求項５に係る発明は、弁軸の回転数により任意の定流量を設定するようにしたリーフスプリング弁である。
【００１７】
請求項６に係る発明は、リーフスプリング弁を配管の流体を開閉又は制御或は定流量機能を有するようにした空気調和装置に用いるようにしたリーフスプリング弁である。
【００１８】
請求項７に係る発明は、蓄勢されたゼンマイ自体の蓄勢力は、ゼンマイ自身の駆動制御力と略等しいリーフスプリング弁である。
【００１９】
（発明を実施するための最良の形態）
本発明における一例であるリーフスプリングをゼンマイばねに適用した各種の実施形態を図面に基づいて詳述する。
【００２０】
第１図は、電動モータの駆動で回転する弁軸にゼンマイを装着した一例を示す縦断面図である。
【００２１】
図中、配管接続部１ａ，１ｂを有する弁本体１の内部に円筒形状の弁室２を形成し、弁室２には、一次側の流路口３と二次側の流路口４をそれぞれ端面を湾曲させて形成し、この流路口３，４の上下部に環状溝５，６を設けている。
【００２２】
第５図〜第７図において、７はゴム等で形成した筒状シートであり、この筒状シート７の上下端部に環状の係合突部８，９を設け、この筒状シート７の左右には、円形状の開口部１０，１１を形成し、二次側の開口部１１の外周側には、環状の位置決め部１２を設け、この部位の内周側の開口位置には、厚肉状の弁座部１３を設けている。
【００２３】
筒状シート７を弁室２内に装着する場合、この筒状シート７の係合突部８，９を弁室２内の環状溝５，６に係合させると共に、筒状シート７に形成した環状の位置決め部１２を流路口４の内周面に嵌合させて筒状シート７の回り止めをした状態で弁室２内に装着している。
【００２４】
第３図において、１４はステンレス等の耐食性を有する金属で形成したゼンマイ（弁体）であり、このゼンマイ１４には、外端の上下を延長してコ字形状又は円形状等の形状に外向きに設けた係合部１５，１６と、内端に長方形の内向き状の折曲片１７を設け、弁室２の上下に設けた嵌合溝１８，１９に係合部１５，１６を嵌め、一方、折曲片１７を弁軸２０に形成したスリット２１に嵌合して、ゼンマイ１４を弁室２内に装着すると共に、ゼンマイ１４と弁軸２０を連動させている。この場合、ゼンマイ１４は、弁室２内に蓄勢力を有した状態で収納されている。
【００２５】
この嵌合溝１８，１９は、第８図及び第９図に示すように、弁室２内に複数個設けておき、ゼンマイ１４の外端の装着位置を適宜に選択して、流路口を確実に開閉できる位置にゼンマイ１４を設定できるようにするのが好ましい。
【００２６】
また、第１図において、弁本体１内に上下を支持して挿入した弁軸２０の段差部２０ａに円板状のスプリングホルダ３３を嵌めてゼンマイ１４の上下動を阻止しており、弁本体１の上端にボンネット２２を螺合固定し、ボンネット２２の上端に一方向又は双方向回転のアクチュエータ２３を固定している。
【００２７】
本例における固定手段は、アクチュエータ２３の下部に設けた接続部材２３ａを割りリング２４を介してパッキンナット２５で締め付け固定しているが、これに限定されるものではなく、各種の固定手段を適宜に選択して実施する。
【００２８】
このアクチュエータ２３は、本例では、図示しないが、電動モータの駆動力をギヤ機構を介して出力軸に伝達し、この出力軸の駆動力を弁軸２０に伝達させて弁軸２０を回動自在に設けている。この弁軸２０のスリット２１にゼンマイ１４の折曲片１７を嵌合し、かつ弁室２の嵌合溝１８，１９にゼンマイ１４の係合部１５，１６を嵌めて弁軸２０とゼンマイ１４を連動させ、アクチュエータ２３による弁軸２０の回動によりゼンマイ１４を巻き締めて弁室２の中心側にゼンマイ１４を変位させて流路口３，４を開くように設けている。
【００２９】
一方、電動の場合、通電を絶つと、ゼンマイ１４の解放に伴なう押圧力でゼンマイ１４の湾曲面１４ａが流路口３，４に当接すると共に、特に、湾曲面１４ａが流体圧の押圧力により筒状シート７の弁座部１３に密封接触シールして流路口４を閉じるようにしている。
【００３０】
なお、弁機能は、流路口４の開閉であるので、ゼンマイ１４の湾曲面１４ａを必ずしも流路口３に当接させる必要はない。
【００３１】
上記の例は、アクチュエータ２３の駆動力で開閉するスプリングリターン式の電動弁の一例を示したが、これに限ることなく、手動の場合も適宜の位置でハンドル或は弁軸がロックされているロック機構を外せばゼンマイの力で巻き戻されて流路口を閉じて自動閉止する。
【００３２】
また、手動の場合は、第１２図及び第１３図の一例に示すように、弁軸２０の上端にハンドル２６を設け、弁本体１の上端に設けた複数個の係合溝２７にばね２８を介してロックピン２９を押圧嵌合可能に設け、ロックピン２９を押しながらハンドル２６を回し、止めた位置でロックピン２９を離すとばね２８の弾発力で係合溝２７にロックするようにし、開状態のゼンマイ１４を適宜の位置でロックして固定することもでき、一方、閉止の場合は、ロックを外せば、ゼンマイの巻き戻し力でゼンマイの湾曲面が流路口を閉じて自動閉止する。この係合溝２７は、ロックする任意の位置に複数個設けるものとする。
【００３３】
その他の手動の例として、ハンドルで弁軸を押圧すると手動操作が可能となる手動の場合、このハンドルの回動操作により、ゼンマイが弁室の中心側に変位して流路口が開き、ハンドルの押圧を解除すると、ロック部材がばねの弾発力でロックして固定され、開状態のゼンマイ１４を適宜位置で固定するようにしたり、或は、例えば、凹凸状のクラッチ機構でハンドルを回転操作し、適宜位置に固定する構造を採用することにより、本発明におけるリーフスプリング弁を手動弁に適用することができる。
【００３４】
次に、上記の実施形態の作用を第８図及び第９図における概念説明図に基づいて説明すると、まず、第９図において、自動弁でアクチュエータ２３を駆動していない場合、又は手動弁でハンドルを閉位置に設定すると、ゼンマイ１４の巻き戻り力でゼンマイ１４の外周面であるゼンマイ外周面１４ａが弁座部１３に圧着し、ゼンマイ１４によって流路口４を閉止する。
【００３５】
この場合、湾曲面１４ａが弁座部１３を弁本体１の内側に押し付けるので、確実に閉止される。
【００３６】
次いで、アクチュエータ２３又はハンドルを反時計回り方向へ駆動して弁軸２０を回転させてゼンマイ１４を巻き締めると、第８図に示すように、ゼンマイ１４の湾曲面１４ａが弁座部１３を離れて流路口４が開口される。
【００３７】
この状態で通電を断つか、ハンドルのロックを外せばゼンマイ１４が解放して弁軸２０、湾曲面１４ａが第９図の状態に戻る。
【００３８】
この場合、ゼンマイ１４と弁座部１３とは、ボール弁等の回転弁のように周方向に摺動するのではなく、無摺動式の接離状態で離間するので、摩耗が生じることなく耐久性が極めて良好であり、また、弁体がゼンマイであると、巻き締めトルクは小さくて良く、操作性が良好である。
【００３９】
更に、本例の場合、ゼンマイ１４の巻き締め方向は、第８図に示すように反時計回り方向にして通常のバルブの開閉方向と一致させているが、逆方向にすることもできる。
【００４０】
第１０図及び第１１図は、リーフスプリングの他例を示した概念説明図であり、リーフ形状のスプリング（弁体）３０の外端３０ａを弁本体１の嵌合溝３１に嵌合し、内端３０ｂを弁軸３２のスリット３２ａに貫通させて取付け、弁軸３２を自動又は手動で回転させると、第１０図に示すように流路口４が開口し、スプリング３０の巻き戻し力でスプリング３０の湾曲面３４が弁座部１３に圧着し確実に流路口４が閉止される。
【００４１】
本発明におけるリーフスプリング弁におけるその他の例を説明すると、弁本体１の弁室２内に上記の筒状シート７を設けることなく、ゼンマイ等のリーフスプリングの流路口４と対向する湾曲面１４ａの外周位置にゴムを焼付け又は接着等でシート（図示しない）を固定し、このシートと弁室の流路口の接離により開閉する構成であっても良い。この場合は、弁室の形状をより単純にすることができ、リーフスプリングの弁室との係合部を第３図の符号１５，１６のように分割して突出させることなく、スプリングの全巾に或は適宜位置に設けることができる。
【００４２】
また、ゼンマイ１４の外端と内端を取付ける手段として、上記の例以外に、弁本体１内に軸を固植又は支持して、この軸にゼンマイ外端を係止させたり、弁軸に外向きのピンを設けて、ゼンマイの内端にあけた孔をこのピンに係合させるようにしても良く、これらは実施に応じて任意である。
【００４３】
次に、第１４図〜第２４図に従って、駆動弁体を内蔵したリーフスプリング弁の実施形態を詳述する。
【００４４】
本例における実施形態は、第１図〜第１３図において説明した形態と略同様の構成、並びに作用効果を有するため、特に異なる部分を中心に詳述する。
【００４５】
第１４図は、電動モータの駆動力で回転する弁軸及びゼンマイである駆動弁体を内蔵したバルブの一例を示した縦断面図である。
【００４６】
第１４図、第１５図並びに第２４図において、４１は配管接続部４１ａ，４１ｂを有する弁箱であり、この弁箱４１内には、断面円筒状の内周面を持つ弁室４２と、この弁室４２内に一次側の流路口４３と二次側の流路口４４を設けており、そして、弁箱４１の下部にＯリング４６を介してキャップ４５をセットスクリュー４５ａで被蓋している。
【００４７】
即ち、後述するように、ゼンマイ４７を弁箱４１の下方より挿入する構造としており、弁箱とボンネットを一体とし、更に、スプリングホルダー等の部品も不要としたコンパクトでシール性の良い構造としている。
【００４８】
図中、４７は流路を開閉又は制御するために弁箱４１内に設けた駆動弁体であり、この駆動弁体４７は、弁体自身が蓄勢力を有し、この蓄勢力で弁体自身が駆動して弁口を閉塞するものである。
【００４９】
そして、この駆動弁体４７の蓄勢力は、弁箱４１に設けた外部駆動力であるモータＭを内蔵したアクチュエータ５５の出力又は手動操作によって略無摺動で駆動弁体自身に蓄勢され、この蓄勢力は、この駆動弁体４７の駆動制御力と略等しいように構成されている。
【００５０】
本例における駆動弁体４７は、第１５図〜第１９図に示すように、ゼンマイ４７を用いており、このゼンマイ４７は、ステンレス等の耐食性を有する金属で形成され、このゼンマイ４７の外端には、断面コ字形又は円形状等の形状に外向きに係合部４８を設け、内端には、折曲片５０ａをその先端に係止部５０ｂを設けている。この係合部４８は、第１５図及び第１９図に示すように、一次側の流路口４３の近傍位置に設けた固定（係合）位置５４に係合するのが好ましい。
【００５１】
この理由について述べると、ゼンマイ４７の曲率は、ゼンマイ４７の中心を対称軸として弁箱４１の係合溝５４の反対側が安定しており、この安定した側面を弁座５６に対向させて押圧配置することにより弁座５６とのシール性能の向上を図るためである。
【００５２】
また、係合溝５４は、第１５図に示すように、係合部４８に繋がる部分のゼンマイ４７の側面が弁閉時に一次側流路口４３を塞ぐような位置に設けていることから、弁開時には流体をゼンマイ４７の回旋部に巻き込むことなく、スムーズに二次側流路口４４へ流すことができる。
【００５３】
このゼンマイ４７を組立てるための他の実施形態として第２３図を示す。この第２３図は、ゼンマイ４７を弁室４２の内径よりも縮径された状態でリングやケース等の拘束部材５８で拘束し、これを弁箱４１の下方より挿入して、係合部４８を係合溝５４に係合すると共に、折曲片５０ａと係止部５０ｂを弁軸５２のスリット５２ｂと嵌合溝５２ａに装入し、その後、拘束部材５８を解くと縮径されているゼンマイ４７は、やや縮径状態のままゼンマイ４７の側面が弁箱４１の弁座５６に押圧され、閉止状態となり、このように、ゼンマイ４７の蓄勢力を有した状態で弁室４２内に収納される。このゼンマイ４７は、バルブ内を流れる流体エネルギーの影響を受けて振動しない所定以上の厚みと剛性を持たせており、本例では、０．２ｍｍ程度である。
【００５４】
また、弁室４２の二次側の流路口４４には、弁座５６を設け、この弁座５６のシール位置に押圧されるシール部材４９をゼンマイ４７の弁座シール位置４７ａに一体に設けている。具体的には、第１６図〜第１８図に示すように、このシール部材４９は、ゴム等の弾性部材で形成され、ゼンマイ４７に焼付け一体に固着されており、このシール部材４９は、環状の楕円形で突部形状であって、弁座シール面圧が高まり確実にシールできるようにしている。更に、このシール部材４９の環状の対称位置に突状部４９ａを設けて、ゼンマイ４７が弁座５６から離間するとき、シール部材４９の突状部４９ａから容易に剥離するようにして、確実にゼンマイ４７を弁座５６の面から離間させるようにしている。
【００５５】
更に、このシール部材４９は、ゼンマイ４７の微妙な曲率の変化を吸収し、所定の弁座シール性能を確保できる厚みを有する程度に成形する。
【００５６】
また、第２０図と第２１図において、ゼンマイ４７を開方向へ操作する際に、弁体４７のシールポイントには、一般のボールバルブのボールと同様に円周方向の力Ｆ１が作用するが、これに加えて弁体４７の求心方向の力Ｆ２も作用するので、弁開初動時、このシールポイントは、弁座５６と離間した状態で円周方向に移動するため、結果的に摺動抵抗は、ほとんど生じない。
【００５７】
従って、第２２図に示すように、従来のスプリングリターン弁との比較表から明らかなように、アクチュエータ５５内のモータＭの小型化が可能となる。
【００５８】
即ち、同図において、従来のバルブトルクＥと従来のスプリングトルクＤとが併合されて、従来のアクチュエータトルクＣを必要とする。これに対して、本例のゼンマイトルクＢのみで良いから、本例は、アクチュエータトルクＡだけを必要とし、アクチュエータの小型化とコストダウンを可能とした。
【００５９】
なお、第１５図及び第１９図に示す符号５３は、弁軸５２に形成した貫入孔であり、この貫入孔５３にゼンマイ４７の内端部分を挿入して弁軸５２に固定させている。
【００６０】
次に、本例における作用は、上記の第１実施形態と略同様である。駆動弁体であるゼンマイ４７をアクチュエータ５５の出力から伝達部材５５ａを介して巻き込むと、略無摺動でゼンマイ４７が蓄勢されると共に、ゼンマイ４７に固着したシール部材４９が弁座５６から離間して二次側の流路口４４を開いて開状態になり、この場合、ゼンマイ４７の蓄勢力は、ゼンマイ４７自身の駆動制御力と略等しい。
【００６１】
次いで、ゼンマイ４７の巻き込み状態を手動又は自動で解除すると、ゼンマイ４７の蓄勢力によって、シール部材４９が弁座５６に押圧シールされて二次側の流路口４４を確実に閉止する。
【００６２】
また、第２６図に示すように、アクチュエータ５５又は手動により回転させた弁軸５２でゼンマイ４７を弁軸５２側に適宜に求心変位させることによって、ゼンマイ４７自体に定流量機能を発揮させることができ、この場合、弁軸５２の回転数により任意の定流量を設定することが可能となる。
【００６３】
第２７図は、一次圧を一定にし、弁軸５２の回転数を変化させたときの差圧と流量の関係をグラフに示したものであり、この場合のリーフスプリング弁の呼び径サイズは１Ｂである。
【００６４】
この結果、弁軸５２を６回転した状態で固定した場合、異なる差圧であっても、それぞれ５４．２、５２．８、５３．２Ｌ／ｍｉｎと略一定の流量となっている。この傾向は弁軸５２を５．５回転、５．０回転、４．５回転とした場合でも同様であり、差圧が変動した場合でも、流量の変動は最大１０％以内であった。
【００６５】
次に、本発明のリーフスプリング弁或は駆動弁体内蔵バルブ（以下、弁等６０という）をファンコイルユニットやエアハンドリングユニット等の空気調和装置に用いる例を説明する。この場合、リーフスプリング弁は止水機能と定流量機能を兼ね備えている。
【００６６】
図２５は、上記弁等６０をファンコイルユニット６１に用いた例である。ファンコイルユニット６１は、コイル６２の内部に冷水或は温水を流し、このコイル６２の表面にファン６３を用いて送風することにより、一定空間の室温を調整する装置である。
【００６７】
なお、同図において、弁等６０を冷温水装置６４のアウト側配管６５に設けた例を示したが、これに限ることなく、イン側配管６６に設けても良い。
【００６８】
本発明の弁等６０は、弁開時は比較的時間をかけて全開状態に達し、弁閉時は短時間に全閉状態に達するという動作特性を有する。従って、ファンコイルユニット６１のように、急激に全開状態に達する必要が必ずしもない用途に最適である。
【００６９】
また、本発明の弁等６０は、既に述べた通り、コンパクトでコストの削減を可能とした経済性に優れたものであることから、ファンコイルユニット等の個別空調装置のように多数の弁を必要とする用途に特に好適である。
【００７０】
本例では、空気調和装置としてファンコイルを例に挙げたが、本発明の弁等６０は、これに限定されることなく、エアハンドリングユニット等の装置にも適する。
【００７１】
更に、本発明の弁等６０は、空気調和装置に用途限定されることなく、様々な装置に用いることができる。具体的には、短時間に全閉状態に達するという動作特性を利用して、ガス遮断等の緊急遮断弁にも適用できる。なお、適用流体としては、低差圧の流体、例えば、差圧０．２〜０．３ＭＰａ（２〜３Ｋｇｆ／ｃｍ２）程度の冷温水、ガス等が適している。
【００７２】
（発明の効果）
以上のことから明らかなように、弁体をリーフスプリングの復元力で閉止するようにしているので、確実に閉止し、かつ安定した動作が行われ、しかも、弁体は閉止時にゼンマイ等の巻き戻し力で戻るので、スプリングリターンで、かつ軽い操作力をもって操作でき、また、スプリングの巻き締め力のみに抗して弁開操作するので、トルクも小さくて良い。
【００７３】
また、スプリングリターン構造にすると、弁体とリターン用スプリングが兼用でき、コンパクトでコストの削減を可能とした経済性に優れた弁を提供することができる。
【００７４】
更には、ゼンマイ等のスプリングと弁座部とは、摺動開閉することなく、無摺動性で接離開閉できるため、摩耗がなく、耐久性に優れ、実用的価値の高い弁を提供することができる。
【００７５】
また、弁座は、中間動作時には、無摺動であるから、弁座摩耗が少なく、更には、流体圧力による操作トルクの変動を受けることなく、弁座の固着現象に対して剥離作用があり、操作トルクが上昇するおそれもなく、ゼンマイのばね特性上、操作トルクが低く、しかも、必要以上の加工精度も必要とすることなく、アクチュエータ及びバルブの小型化を図ることができる。
【００７６】
本発明のリーフスプリング弁は、定流量弁としての機能を有し、流量の設定は弁軸の回転数により、所定の範囲内において任意に設定することができる。すなわち従来の定流量弁のように、目的の流量に対応した専用定流量器を内蔵させる必要はなく、弁軸の回転数を変えることによって所定の流量に対応した流量設定が可能である。
【００７７】
また、本発明におけるリーフスプリング弁は、ファンコイルユニットやエアハンドリングユニット等の空気調和装置に特に好適である。
【００７８】
（図面の簡単な説明）
第１図は、本発明におけるリーフスプリング弁に、電動モータを搭載した例を示す縦断面図である。
第２図は、第１図からボンネットを取り外して示した一部を切り欠いた拡大平面図である。
第３図は、第１図の弁本体に収納したゼンマイを示した拡大正面図である。
第４図は、第１図に示した弁本体の縦断面図である。
第５図は、第１図の弁室に収納した筒状シートの拡大正面図である。
第６図は、第５図の縦断面図である。
第７図は、第５図の一部切欠き平面図である。
第８図は、本発明におけるリーフスプリングの開状態の一例を示した概念説明図である。
第９図は、第８図の閉状態を示した概念説明図である。
第１０図は、本発明におけるリーフスプリングの開状態の他例を示した概念説明図である。
第１１図は、第１０図の閉状態を示した概念説明図である。
第１２図は、本発明におけるリーフスプリング弁を手動弁に適用した一例を示すロック機構の部分断面図である。
第１３図は、第１２図のロック状態を示す平面断面図である。
第１４図は、本発明における駆動弁体を内蔵したリーフスプリング弁の一例を示した縦断面図である。
第１５図は、第１４図の横断拡大断面図である。
第１６図は、第１４図の駆動弁体を展開した一部切欠き展開図である。
第１７図は、第１６図のＡ−Ａ断面図である。
第１８図は、第１６図のＢ−Ｂ断面図である。
第１９図は、第１４図の概念説明図である。
第２０図は、第１４図の駆動弁体が離間する初動状態を示す部分拡大図である。
第２１図は、第２０図の駆動弁体が離間した状態を示す部分拡大図である。
第２２図は、従来例と比較したグラフである。
第２３図は、第１４図における弁軸へのゼンマイの挿入方法を示した斜視図である。
第２４図は、第１４図に示したバルブの一部切欠き側面図である。
第２５図は、本発明におけるリーフスプリング弁をファンコイルユニットに用いた空気調和装置の説明図である。
第２６図は、リーフスプリング弁が定流量弁としての機能を有する状態を示した断面図である。
第２７図は、第２６図の弁において、弁軸の回転数を変化させたときの差圧と流量の関係を示すグラフである。
【図１】
0004509391.tif 000002
【図２】
0004509391.tif 000003
【図３】
0004509391.tif 000004
【図４】
0004509391.tif 000005
【図５】
0004509391.tif 000006
【図６】
0004509391.tif 000007
【図７】
0004509391.tif 000008
【図８】
0004509391.tif 000009
【図９】
0004509391.tif 000010
【図１０】
0004509391.tif 000011
【図１１】
0004509391.tif 000012
【図１２】
0004509391.tif 000013
【図１３】
0004509391.tif 000014
【図１４】
0004509391.tif 000015
【図１５】
0004509391.tif 000016
【図１６】
0004509391.tif 000017
【図１７】
0004509391.tif 000018
【図１８】
0004509391.tif 000019
【図１９】
0004509391.tif 000020
【図２０】
0004509391.tif 000021
【図２１】
0004509391.tif 000022
【図２２】
0004509391.tif 000023
【図２３】
0004509391.tif 000024
【図２４】
0004509391.tif 000025
【図２５】
0004509391.tif 000026
【図２６】
0004509391.tif 000027
【図２７】
0004509391.tif 000028